(57)【特許請求の範囲】
【請求項１】
魚釣りに用いる釣竿であって、
リールを脱着自在に装着可能であり、前記リールの脚部を載置するためのリール載置面が形成されたリールシートを有する竿体と、
前記竿体の竿元側端部に連結され、前記竿体の軸方向の竿元側に伸びるとともに、軸方向の途中から前記リール載置面側方向に偏曲してから再び前記竿体の軸方向の竿元側に向かって伸びるグリップとを備え、
前記グリップの竿元側には、前記リールシートのリール載置面より前記リール載置面側方向に張出して位置し、前記竿体の軸方向に一定の長さを有する略平面であり、肘が当接される肘当面が形成されている
ことを特徴とする釣竿。
【請求項２】
前記グリップの前記肘当面が形成される部分は、前記肘当面の幅方向に向かって伸びるように扁平している、請求項１に記載の釣竿。
【請求項３】
前記グリップの前記肘当面は、断面視において三面切となっている、請求項１に記載の釣竿。
【請求項４】
前記肘当面は凹状に窪んでいる、請求項３に記載の釣竿。
【発明の詳細な説明】
【０００１】
【発明の属する技術分野】
本発明は魚釣りに用いる釣竿、特に、リールを脱着自在に装着可能なリールシートを有する釣竿に関する。
【０００２】
【従来の技術】
従来の釣竿には、竿体と、竿体周面に脱着自在にリールを装着可能なリールシートと、竿体の竿元側端部外周を覆うように配置される筒状のグリップとを有しているものがある。このような釣竿においては、リールシートにリールを装着して、釣人は一方の手でリールシート付近をリールと共に把持すると共に、他方の手でリールを操作して、リール操作を行うことになる。そしてこの際、リールシート付近を把持する一方の手の肘付近を竿体の竿元側端部のグリップに当て、一方の手と肘とで竿体を支えながらリール操作を行うのが一般的である。
【０００３】
【発明が解決しようとする課題】
従来の釣竿の竿体はやや先細りの筒状体として形成されるが、竿体のリールシート付近と竿体の竿元側端部付近とで別段の工夫を施すことはなく連続的に成形されており、リールシート付近の竿体の外径と竿元側端部付近との外径とはほぼ一致している。このため、一方の手でリールシート付近を把持しつつその手の肘を竿体の竿元側端部に当接させるには、手首と肘とを竿体の軸方向に沿ってほぼ直線状に伸ばしたやや不自然な体勢をとる必要がある。このような不自然な体勢を長時間続けていると、手首が疲れてしまいまた竿体を支持する安定性にもかける場合がある。
【０００４】
本発明の課題は、安定した体勢で疲れることなく竿体を保持可能な釣竿を提供することにある。
【０００５】
【課題を解決するための手段】
発明１にかかる釣竿は、魚釣りに用いる釣竿であって、リールを脱着自在に装着可能であり、リールの脚部を載置するためのリール載置面が形成されたリールシートを有する竿体と、竿体の竿元側端部に連結され、竿体の軸方向の竿元側に伸びるとともに、軸方向の途中から竿体のリール載置面側方向に偏曲してから再び竿体の軸方向の竿元側に向かって伸びるグリップとを備えている。そして、グリップの竿元側には、リール載置面よりリール載置面側方向に張出して位置し、竿体の軸方向に一定の長さを有する略平面であり、肘が当接される肘当面が形成されていることを特徴とする。
【０００６】
この釣竿では、釣人はリールシートにリールを取り付け、このリールと共にリールシート付近を一方の手で把持すると共に、その手の肘をグリップの肘当面に当接させて竿体を支える。ここで、肘当面は周方向の一方向に向かって竿体の軸方向から変位して張出しており、リールシートを把持する手とその肘とを竿体の軸方向に沿って不自然な直線状態とすることなく、肘を肘当面に当てて竿体を支持できる。また、肘当面がリール載置面よりその方向に張出して位置しているので、リールを把持する手よりもその手の肘を下方に押し下げて位置させることなく、自然な状態で肘を肘当面に当接し得る。また、この肘当面が軸方向に一定の長さを有するので肘を当てておき易い。
【０００７】
発明２の釣竿は、発明１の釣竿であって、グリップの肘当面が形成される部分は、肘当面の幅方向に向かって伸びるように扁平している。
この釣竿のグリップの所定部分は肘当面の幅方向に向かって伸びるように扁平しており、肘当面に肘を安定した状態で当接させやすい。
【０００８】
発明３の釣竿は、発明１または２の釣竿であって、グリップの肘当面は、断面視において三面切となっている。
この釣竿では、肘当面が三面切となっており、３方向何れからも安定した状態で肘を当てられる。
【０００９】
発明４の釣竿は、発明３の釣竿であって、肘当面は凹状に窪んでいる。
この釣竿では、肘当面が凹状に窪んでおり肘を当てた際に安定する。
【００１０】
【発明の実施の形態】
［第１実施形態］
以下、本発明の第１実施形態について図面を参照しつつ説明する。
【００１１】
図１に示すように、本発明の第１実施形態を採用した釣竿は、元竿１と元竿１の穂先側に順次振出形式または並次形式で連結される複数の竿体ユニット２とからなる。図２に詳しく示すように、元竿１の竿元側周面にはリールを脱着自在に装着可能なリールシート３が設けられ、また、竿元側端部にはグリップ５が連結されている。竿体ユニット２の周面には複数の釣糸ガイド４が間隔を隔てて配置されている。これら元竿１及び竿体ユニットを構成する各竿体は、炭素繊維やガラス繊維等の強化繊維を合成樹脂に含浸させたプリプレグを積層して構成される先細り筒状部材である。
【００１２】
図２に示すように、リールシート３は、元竿１が貫通した状態で元竿１の所定の周面に固定される略筒状の本体部１０と、本体部１０の穂先側に軸方向に移動自在であり周方向に回転不能に配置される移動フード１２と、移動フード１２の穂先側に連結され軸方向に移動可能かつ周方向に回転可能なナット部１３とを有する。本体部１０にはリールの脚部を載置するために平坦に形成されたリール載置面１０ａが形成されると共に、その竿元側には穂先側に開口した固定フード１０ｂが形成されている。そして、リール載置面１０ａにリールの脚部を載せてその一端を固定フード１０ｂに係止し、ナット部１３を回転させて移動フード１２を竿元側に移動させリール脚部の他端を係止し、固定フード１０ｂと移動フード１２とでリールの脚部を挟み込みながら固定する。
【００１３】
図２〜図４に示すように、グリップ５は元竿１の竿元側端部が挿入された状態で連結固定され竿元側に向かって伸びる合成樹脂または金属等からなる部材である。グリップ５はその軸方向において、途中から周方向の一方向（具体的には、リールシート３のリール載置面１０ａ側方向）に偏曲してから再び軸方向に伸びている。穂先側のリールシート５に連続する側は断面円形であり、竿元側は幅方向（図４の左右方向）に長い略矩形型に変形している。そして、この竿元側の上面（リールシート３のリール載置面１０ａ側の平面）が肘当面５ａとなっている。肘当面５ａは幅方向中央付近がやや凸出した形状である。
【００１４】
この釣竿では、釣人はリールシート３にリールを取り付け、このリールと共にリールシート３付近を一方の手で把持すると共に、その手の肘をグリップ５の肘当面５aに当接させて元竿１を支える。ここで、肘当面５ａがリール載置面１０ａよりその方向に張出して位置しているので、リールを把持する手よりもその手の肘を下方に押し下げて位置させることなく、自然な状態で肘を肘当面５ａに当てることができ、長時間元竿１を支えても疲れにくい。
【００１５】
［第２実施形態］
以下、本発明の第２実施形態について図面を参照しつつ説明する。
図５に示すように、本発明の第２実施形態を採用した釣竿の元竿１には、リールを脱着自在に装着可能なリールシート３が周面に設けられており、リールシート３の竿元側の元竿１の周面にはリールシート３に隣接して前グリップ２０が固定されている。そして、竿元側端部にはグリップ３０が連結されている。
【００１６】
前グリップ２０は合成樹脂製の筒状部材であり、元竿１が貫通した状態で元竿１の所定の周面に固定されている。そして、この前グリップ２０から一定の間隔を隔てた竿元側に、元竿１の一部が穂先側から挿入された状態でグリップ３０が連結され固定されている。
【００１７】
図５〜図７に示すように、グリップ３０は略筒状の合成樹脂または金属等からなる部材である。グリップ３０はその軸方向において、途中から周方向の一方向（具体的には、リールシート３のリール載置面１０ａ側方向）において張出してから再び軸方向に平坦化しており、竿元側において周方向一方に拡径している。
【００１８】
穂先側は断面円形であり、竿元側においては、周方向の一方向において平坦部分が形成され、これが肘当面３０ａとなっている。この肘当面３０ａは断面視において（図７参照）いわゆる三面切が施され、上面側の平面と左右両側の平面とが形成される。そして、この３面はそれぞれ凹状に窪んで形成されている。
【００１９】
なお、その他の構成は第１実施形態と同様である。
このように構成された釣竿では、第１実施形態と同様に、釣人はリールシート３にリールを取り付け、このリールと共にリールシート３付近を一方の手で把持すると共に、その手の肘をグリップ３０の肘当面３０aに当接させて元竿１を支える。そして、同様の作用効果を奏することになる。
【００２０】
また、この肘当面３０ａは凹状に窪んだ３面切となっており、３方向何れから肘を当てても肘当面３０ａに安定した状態で肘を当てやすい。
［他の実施形態］
（ａ）上記実施形態においては、肘当面をリール載置面方向に変位させているが、これと異なる方向に変位させてもよい。また、釣人の好みに合わせて肘当面を変位可能なように、グリップを元竿１に対して周方向に回転自在に連結してもよい。
【００２１】
【発明の効果】
本発明にかかる釣竿によれば、自然な状態で竿体を支えることができる。
【図面の簡単な説明】
【図１】本発明の第１実施形態を採用した釣竿の断面図。
【図２】図１の竿元側の拡大図。
【図３】図２のIII―III断面図。
【図４】図２のIV―IV断面図。
【図５】本発明の第２実施形態を採用した釣竿の竿元側の拡大図。
【図６】図５のVI―VI断面図。
【図７】図５のVII―VII断面図。
【符号の説明】
１  元竿
３  リールシート
１０ａ  載置面
５，３０  グリップ
５ａ，３０ａ  肘当面
【図１】
0004692977.tif 000002
【図２】
0004692977.tif 000003
【図３】
0004692977.tif 000004
【図４】
0004692977.tif 000005
【図５】
0004692977.tif 000006
【図６】
0004692977.tif 000007
【図７】
0004692977.tif 000008